(57)【要約】【課題】リュックなどに用いられる余った平紐を巻き付けた状態で留めることを可能とする平紐巻付留具を提供することである。【解決手段】所定の長さを有する平紐２を巻き付けて留めるための平紐巻付留具１０であって、平紐２の端部から巻き付けるために平紐２の幅方向に沿って伸びる巻回用芯部１２と、巻回用芯部１２の両端部から延伸し、平紐２が巻回用芯部１２に巻回されたときの平紐２の幅方向の動きを規制する２つの規制部１４ａ，１４ｂと、２つの規制部１４ａ，１４ｂの間に渡って設けられる出入口部１６と、を備え、出入口部１６は、平紐２を巻回用芯部１２に巻回する際に、巻回用芯部１２と２つの規制部１４ａ，１４ｂとの間に形成される空間領域１５内に平紐２を出し入れ可能なように設けられる切欠き部１６ａを有することを特徴とする。【選択図】図１
2019205733.tif 000002
【特許請求の範囲】
【請求項１】
所定の長さを有する平紐を巻き付けて留めるための平紐巻付留具であって、
前記平紐の端部から巻き付けるために前記平紐の幅方向に沿って伸びる巻回用芯部と、
前記巻回用芯部の両端部から延伸し、前記平紐が前記巻回用芯部に巻回されたときの前記平紐の幅方向の動きを規制する２つの規制部と、
前記２つの規制部の間にわたって設けられる出入口部と、
を備え、
前記出入口部は、前記平紐を前記巻回用芯部に巻回する際に、前記巻回用芯部と前記２つの規制部との間に形成される空間領域内に前記平紐を出し入れ可能なように設けられる切欠き部を有することを特徴とする平紐巻付留具。
【請求項２】
請求項１に記載の平紐巻付留具において、
前記切欠き部の幅は、前記平紐の幅以下で、かつ、前記平紐の厚み以上の幅であることを特徴とする平紐巻付留具。
【請求項３】
請求項１または請求項２に記載の平紐巻付留具において、
前記巻回用芯部は、所定の隙間を空けて前記平紐の幅方向に延びる２つの棒部を有することを特徴とする平紐巻付留具。
【請求項４】
請求項３に記載の平紐巻付留具において、
前記２つの棒部のうち、前記出入口部と反対側に位置する外側の棒部には、前記所定の隙間に前記平紐を出し入れ可能なように設けられるスリット部を有することを特徴とする平紐巻付留具。
【請求項５】
請求項３又は請求項４に記載の平紐巻付留具において、
前記２つの棒部は、平坦部を有する平棒を含むことを特徴とする平紐巻付留具。
【発明の詳細な説明】
【技術分野】
【０００１】
本発明は、平紐巻付留具に関する。
【背景技術】
【０００２】
従来、リュックなどに平紐が用いられている。本発明に関連する技術として、例えば、特許文献１には、ケースと、このケース内に回転可能に設けられて外周に紐状体を巻き取るドラムと、このドラムを紐状体の巻き取り方向へ付勢するばねとを備え、紐状体が、ドラムに形成した貫通孔を移動可能な状態に通ってその両端がケースの外部へ導出されると共にケースの外部に配置した外部接続部に接続された紐状体の巻き取り具が開示されている。
【先行技術文献】
【特許文献】
【０００３】
【特許文献１】特開２０１４−１５３０８号公報
【発明の概要】
【発明が解決しようとする課題】
【０００４】
リュックにおいて様々なところに平紐が用いられているが、肩掛けの長さを調整する平紐などは調整後に余った平紐が長過ぎて困ることがある。例えば、電車内でリュックを床に置いた場合に余った平紐が外側に広がってしまうと他人の靴に踏まれたり、汚れてしまったりと不便なことがある。
【０００５】
本発明の目的は、リュックなどに用いられる余った平紐を巻き付けた状態で留めることを可能とする平紐巻付留具を提供することである。
【課題を解決するための手段】
【０００６】
本発明に係る平紐巻付留具は、所定の長さを有する平紐を巻き付けて留めるための平紐巻付留具であって、前記平紐の端部から巻き付けるために前記平紐の幅方向に沿って伸びる巻回用芯部と、前記巻回用芯部の両端部から延伸し、前記平紐が前記巻回用芯部に巻回されたときの前記平紐の幅方向の動きを規制する２つの規制部と、前記２つの規制部の間にわたって設けられる出入口部と、を備え、前記出入口部は、前記平紐を前記巻回用芯部に巻回する際に、前記巻回用芯部と前記２つの規制部との間に形成される空間領域内に前記平紐を出し入れ可能なように設けられる切欠き部を有することを特徴とする。
【０００７】
また、本発明に係る平紐巻付留具において、前記切欠き部の幅は、前記平紐の幅以下で、かつ、前記平紐の厚み以上の幅であることが好ましい。
【０００８】
また、本発明に係る平紐巻付留具において、前記巻回用芯部は、所定の隙間を空けて前記平紐の幅方向に延びる２つの棒部を有することが好ましい。
【０００９】
また、本発明に係る平紐巻付留具において、前記２つの棒部のうち、前記出入口部と反対側に位置する外側の棒部には、前記所定の隙間に前記平紐を出し入れ可能なように設けられるスリット部を有することが好ましい。
【００１０】
また、本発明に係る平紐巻付留具において、前記２つの棒部は、平坦部を有する平棒を含むことが好ましい。
【発明の効果】
【００１１】
本発明によれば、リュックなどに用いられる余った平紐を巻き付けた状態で留めることができる。
【図面の簡単な説明】
【００１２】
【図１】本発明の第一実施形態である平紐巻付留具を示す図である。
【図２】本発明の第一実施形態である平紐巻付留具に平紐を巻き付けて留める様子を示す図である。
【図３】本発明の第二実施形態である平紐巻付留具を示す図である。
【図４】本発明の第三実施形態である平紐巻付留具を示す図である。
【発明を実施するための形態】
【００１３】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１４】
図１は、本発明の第一実施形態である平紐巻付留具１０を示す図である。図２は、平紐巻付留具１０に平紐２を巻き付けて留める様子を示す図である。図３は、本発明の第二実施形態である平紐巻付留具２０を示す図である。図４は、本発明の第三実施形態である平紐巻付留具３０を示す図である。
【００１５】
最初に、図１、図２を用いて、本発明の第一実施形態である平紐巻付留具１０について説明する。平紐巻付留具１０は、リュックなどに用いられる平紐２を巻き付けて留めるための器具である。平紐２は、綿などの繊維を含む帯状のウェビングであり、リュックの肩掛けの長さを調整する部分などに使われており、余った部分の処置に困ることがある。
【００１６】
平紐２のサイズは、様々であるが、ここでは、一例として、平紐２の幅が２５ｍｍで、平紐２の厚みが２ｍｍであるものとして説明するが、もちろん、このサイズは適宜変更可能である。
【００１７】
平紐巻付留具１０は、巻回用芯部１２と、２つの規制部１４ａ，１４ｂと、出入口部１６とを備えている。巻回用芯部１２、２つの規制部１４ａ，１４ｂ及び出入口部１６は、別部材で構成してもよいが、ここでは、同一の材質で一体形成するものとして説明する。
【００１８】
平紐巻付留具１０は、図１（ａ）に示される正面図に示されるように外形が四角形であり、この四角形のサイズの一例として、ここでは、縦（長手方向）の長さが４０ｍｍであり、横（短手方向）の長さが３１ｍｍに設定されるものとして説明する。
【００１９】
巻回用芯部１２、２つの規制部１４ａ，１４ｂ及び出入口部１６は、適度な柔軟性と強度を有する材質を有するプラスチックなどの樹脂を用いて形成することが好ましいが、もちろん、その他の材質、例えば、ゴム部材や金属部材を用いて形成することも出来る。
【００２０】
巻回用芯部１２は、平紐２の端部２ａから巻き付けるために平紐２の幅方向に沿って伸び、平坦部を有する棒状を有している。巻回用芯部１２は、平紐２の幅方向に延びる２つの棒部１２ａ，１２ｂを有する。
【００２１】
２つの棒部１２ａ，１２ｂは、所定の隙間を空けて設けられ、これにより、空間領域１３が形成される。２つの棒部１２ａ，１２ｂのうち、出入口部１６と反対側に位置する外側の棒部１２ｂには、空間領域１３に平紐２を出し入れ可能なように設けられるスリット部１２ｃが形成されている。
【００２２】
２つの棒部１２ａ，１２ｂは、長手方向の長さが平紐２の幅に合わせた２５ｍｍに設定されており、短手方向の長さは６ｍｍに設定することが好ましい。また、２つの棒部１２ａ，１２ｂの厚みは、３ｍｍに設定することが好適である。
【００２３】
２つの棒部１２ａ，１２ｂの所定の隙間は６ｍｍに設定されている。このため、空間領域１３の大きさは、６ｍｍ×２５ｍｍとなる。
【００２４】
棒部１２ｂに形成されたスリット部１２ｃの幅は、平紐２の幅以下で、かつ、平紐２の厚み以上の幅に設定することが好ましく、２ｍｍに設定されている。スリット部１２ｃは、規制部１４ａからの距離は５ｍｍで、規制部１４ｂからの距離は１８ｍｍに設定されている。
【００２５】
２つの規制部１４ａ，１４ｂは、巻回用芯部１２の両端部から延伸し、平坦部を有する棒状を有している。平紐２が巻回用芯部１２に巻回されたときの平紐２の幅方向の動きを規制する。
【００２６】
２つの規制部１４ａ，１４ｂの長手方向の長さは４０ｍｍであり、短手方向の長さは３ｍｍである。２つの規制部１４ａ，１４ｂの厚みは、３ｍｍである。２つの規制部１４ａ，１４ｂの間の距離は、２５ｍｍである。
【００２７】
出入口部１６は、２つの規制部１４の間にわたって設けられる。出入口部１６は、平紐２を巻回用芯部１２に巻回する際に、巻回用芯部１２と２つの規制部１４との間に形成される空間領域１５内に平紐２を出し入れ可能なように設けられる切欠き部１２を有する。
【００２８】
出入口部１６は、長手方向の長さが平紐２の幅に合わせた２５ｍｍに設定されており、短手方向の長さは６ｍｍに設定することが好ましい。また、出入口部１６の厚みは、３ｍｍに設定することが好適である。
【００２９】
出入口部１６に形成された切欠き部１６ａの幅は、平紐２の幅以下で、かつ、平紐２の厚み以上の幅に設定することが好ましく、２ｍｍに設定されている。このような範囲に設定することで、平紐２を捩じって出入口部１６から空間領域１５内に入れる際に入れることができるが、空間領域１５内で捩じりを戻した際には、出入口部１６の幅が平紐２の幅よりも小さいため平紐２が出入口部１６を出ないようにすることが出来る。切欠き部１６は、規制部１４ｂからの距離は５ｍｍで、規制部１４ａからの距離は１８ｍｍに設定されている。
【００３０】
続いて、上記構成の平紐巻付留具１０の作用について、図１，図２を用いて説明する。例えば、人（ユーザー）が背負うリュックでは様々なところに平紐２が用いられているが、肩掛けの長さを調整する平紐２などは調整後に余った平紐２が長過ぎて困ることがある。
【００３１】
例えば、電車内でリュックを床に置いた場合に余った平紐２が外側に広がってしまうと他人の靴に踏まれたり、汚れてしまったりと不便なことがあるため、余った平紐２を綺麗にまとめることが望ましい。
【００３２】
そこで、ユーザーは、平紐巻付留具１０を取り出し、平紐２の端部２ａを図２（ａ）に示されるように、空間領域１５の下方から上方に向けて通過させ、上方に抜けた平紐２の端部２ａを図２（ｂ）に示されるように、空間領域１３の上方から下方に向けて通過させ、平紐２の端部２ａを棒部１２ｂの下部に係合させる状態にする。
【００３３】
平紐２の端部２ａと反対側には境界部２ｂが示されているが、この境界部２ｂから図示しない平紐２がさらに延伸して肩掛けに繋がっているため、平紐２を２つの棒部１２ａ，１２ｂで構成される巻回用芯部１２に巻回するためには、図２（ｃ）に示されるように、平紐２を捩じって平紐２の厚み方向と切欠き部１６ａの幅方向を一致させて切欠き部１６ａ上で平紐２が起立するような状態する。
【００３４】
その後、平紐２を切欠き部１６ａの上方から下方に通過させた後に捩じりを戻し、図２（ｄ）に示されるように空間領域１５を介して巻回用芯部１２に巻回する。切欠き部１６ａの幅は、平紐２の幅以下で、かつ、平紐２の厚み以上の幅に設定されているため、平紐２を捩じって出入口部１６から空間領域１５内に入れる際に入れることができるが、空間領域１５内で捩じりを戻した際には、平紐２が出入口部１６を出ないようにすることが出来る。
【００３５】
その後、図２（ｂ）〜図２（ｄ）に示される手順を繰り返して巻回用芯部１２に所定回数巻き付けた後、図２（ｅ）のように平紐２を出入口部１６の下部で係合させるようにする。
【００３６】
図２では、平紐２と平紐巻付留具１０との関係を分かりやすくするために、平紐２の厚みを無くして透明の状態の紐で記載したが、実際には、平紐２は厚みも色も有するため、巻回した後は、図１（ｃ）のような状態となる。
【００３７】
図１（ｃ）のような状態になると、平紐２は２つの棒部１２ａ，１２ｂに跨って所定回数巻き付けられており、巻回された残りの平紐２は出入口部１６の下部に係合される状態で境界部２ｂを介してさらに延伸して肩掛けに繋がる。
【００３８】
このように、所定回数巻き付けられることで、平紐２の幅方向の動きが規制部１４ａ，１４ｂによって規制されつつ巻回状態が維持されることになる。仮に巻回が解かれる方向に力が作用したとしても平紐２が出入口部１６によって動きが規制されるため、平紐２が解けることを抑制することができる。また、棒部１２ａ，１２ｂは平坦部を有しているため、平紐２を巻き付けやすいという効果がある。
【００３９】
平紐巻付留具１０を用いることで余った平紐２を図１（ｃ）のような状態になるように巻き付けるだけで、輪ゴムや面ファスナーなどを用いて固定する必要なく平紐２を留めることが出来るため、見た目もすっきりした状態で余った平紐２を収納することができるという利点がある。これにより、仮に電車内の床にリュックを置いた場合であっても平紐２の余りが外側に広がることがないため、他人に踏まれたり、汚れたりするといったことを防止することができる。
【００４０】
また、平紐巻付留具１０は、スリット部１２ｃが形成されているため、図２（ａ）に示される状態から図２（ｂ）に示される状態に移行しようとする際に、平紐２の端部２ａの幅方向をスリット部１２ｃの幅方向と一致させることで、容易に空間領域１３に入れることができるという利点がある。
【００４１】
なお、平紐巻付留具１０は、２つの棒部１２ａ，１２ｂの間に空間領域１３を設けて、平紐２の端部を棒部１２ｂの下部に係合させることが好ましいが、空間領域１３を無くして２つの棒部１２ａ，１２ｂを１つの平棒部にしたものに平紐２を巻き付けるようにしてもよい。
【００４２】
次に、本発明の第二実施形態である平紐巻付留具２０について説明する。平紐巻付留具２０は、平紐巻付留具１０と同様に、リュックなどに用いられる平紐２を巻き付けて留めるための器具である。
【００４３】
平紐巻付留具２０は、２つの棒部２２ａ，２２ｂを有する巻回用芯部２２と、２つの規制部２４ａ，２４ｂと、出入口部２６とを備えており、平紐巻付留具１０との相違点は、切欠き部２６ａとスリット部２２ｃとの位置関係のみであり、その他の構成は同じである。
【００４４】
切欠き部２６ａ及びスリット部２２ｃは、棒部２４ａ，２４ｂから１１．５ｍｍの距離に形成されており、すなわち、出入口部２６及び棒部１２ｂの真ん中に形成されている。
【００４５】
平紐巻付留具２０は、切欠き部２６ａ及びスリット部２２ｃの位置が平紐巻付留具１０と異なる。位置の相違により、平紐２を捩じって空間領域２３，２５への入れる際の位置関係が変わるだけで、その他の構成は同じであるため、平紐巻付留具１０と同様の効果を奏する。
【００４６】
次いで、本発明の第三実施形態である平紐巻付留具３０について説明する。平紐巻付留具３０は、平紐巻付留具２０と同様に、リュックなどに用いられる平紐２を巻き付けて留めるための器具である。
【００４７】
平紐巻付留具３０は、２つの棒部３２ａ，３２ｂを有する巻回用芯部３２と、２つの規制部３４ａ，３４ｂと、出入口部３６とを備えており、平紐巻付留具２０との相違点は、切欠き部３６ａとスリット部３２ｃの幅のみであり、その他の構成は同じである。
【００４８】
切欠き部３６ａ及びスリット部３２ｃは、棒部３４ａ，３４ｂから７ｍｍの距離に形成されており、すなわち、切欠き部３６ａ及びスリット部３２ｃの幅は、１１ｍｍとなる。
【００４９】
平紐巻付留具３０は、切欠き部３６ａ及びスリット部３２ｃの幅が平紐巻付留具２０の切欠き部２６ａ及びスリット部２２ｃより大きい。切欠き部３６ａ及びスリット部３２ｃの幅が大きくなることにより、平紐２を捩じって空間領域３３，３５へ入れやすいという利点がある。また、その他の構成は同じであるため、平紐巻付留具２０と同様の効果を奏する。
【符号の説明】
【００５０】
２  平紐、２ａ  端部、２ｂ  境界部、１０  平紐巻付留具、１２  巻回用芯部、１２ａ，１２ｂ  棒部、１２ｃ  スリット部、１３  空間領域、１４ａ，１４ｂ  規制部、１６  出入口部、１６ａ  切欠き部、２０  平紐巻付留具、２２  巻回用芯部、２２ａ，２２ｂ  棒部、２２ｃ  スリット部、２３，２５  空間領域、２４ａ，２４ｂ  規制部、２４ａ，２４ｂ  棒部、２６  出入口部、２６ａ  切欠き部、３０  平紐巻付留具、３２  巻回用芯部、３２ａ，３２ｂ  棒部、３２ｃ  スリット部、３４ａ，３４ｂ  規制部、３４ａ，３４ｂ  棒部、３６  出入口部、３６ａ  切欠き部。
【図１】
2019205733.tif 000003
【図２】
2019205733.tif 000004
【図３】
2019205733.tif 000005
【図４】
2019205733.tif 000006